(57)【要約】【課題】  複数の角度方向に延びる面からなる発泡層のすべての面が所定の発泡倍率を満足するように成長させることができ、さらに、成形体を型から効率的に押出すことのできる成形用金型および成形体の成形方法を提供する。【解決手段】  成形用金型１は、可動型４と固定型２とから構成されており、可動型４には、成形体ａを押出すための押出し手段５が備えられており、その押出し方向が型締めおよび型開き方向とは異なる方向となるように構成されている。発泡層ａ２は、押出し方向に直交する方向の面とそれ以外の方向の面とから構成されており、発泡層ａ２がキャビティ内で成長する際には、可動型４が移動することによって発泡層ａ２を構成する押出し方向に直交する方向の面ａ２１とそれ以外の方向の面ａ２２のすべての面が所定の発泡倍率を満足して成長することができ、発泡層ａ２の成形後に、成形体ａを押出し手段５にて可動型４から押出すことができる。【選択図】  図１
2007044965.tif 000002
【特許請求の範囲】
【請求項１】
固定型と可動型とから構成され、双方の型間に画成されたキャビティ内にて芯材と発泡層の２層構造を有する成形体を成形するための成形用金型であって、
前記可動型は、型締めおよび型開き方向とは異なる押出し方向に成形体を押出す押出し手段を備えるとともに、前記キャビティを形成する固定型と可動型の内面が、前記押出し方向に直交する方向に広がる第１の面と、該第１の面と異なる方向に広がる第２の面を少なくとも含む複数の面を備えており、さらに、前記可動型が、型締めおよび型開き方向に移動する際に、前記複数の面が型締めおよび型開き方向と異なる方向で、かつ、前記複数の面から構成される発泡層の各面を所定の発泡倍率に成長させる方向に移動可能に構成されていることを特徴とする成形用金型。
【請求項２】
発泡層の成長に応じて可動型が移動する際に、該可動型と干渉する部分が前記固定型に存在する場合には、可動型の移動に先んじて、前記干渉する部分が可動型との干渉を回避する方向に移動可能に構成されていることを特徴とする請求項１に記載の成形用金型。
【請求項３】
前記固定型の内部には、シリンダーとその端部で出入りするロッドとからなるシリンダーユニットが内蔵されており、前記干渉する部分は、固定型の他の部分と縁切りされており、ロッドの先端に前記干渉する部分が固設されており、可動型の移動に先んじてロッドがシリンダー内に入ることにより、前記干渉する部分が可動型との干渉を回避する方向に移動可能であることを特徴とする請求項２に記載の成形用金型。
【請求項４】
固定型と、成形体を押出す押出し手段を備え、型締めおよび型開き方向に移動する可動型と、を用いて、前記固定型および可動型の内面により形成されるキャビティ内に所定形状の芯材を成形した後に、該キャビティ内に溶融材料を充填し、この溶融材料を発泡させることで２層構造を有する成形体を成形する成形方法であって、
キャビティを形成する固定型と可動型の内面を構成する複数の面が、いずれも可動型の移動する型締めおよび型開き方向とは異なる方向であって、かつ、該複数の面から構成される発泡層の各面が所定の発泡倍率に成長可能な方向に調整されていることを特徴とする成形体の成形方法。
【発明の詳細な説明】
【技術分野】
【０００１】
本発明は、固定型と可動型とから構成され、双方の型間に画成されたキャビティ内にて芯材と発泡層の２層構造を有する成形体を成形するための成形用金型と、該成形用金型を使用してなる成形体の成形方法に係り、特に、複数の角度方向に延びる面からなる発泡層のすべての面が所定の発泡倍率を満足するように成長させることができ、さらに、成形体を型から効率的に押出すことのできる成形用金型および成形体の成形方法に関するものである。
【背景技術】
【０００２】
自動車の内装品、例えばインストゥルメンタルパネル（以下、単に、「インパネ」という）などは、芯材と、ポリウレタンやポリプロピレンなどの樹脂材からなる発泡層と、からなる２層構造から構成されており、かかる内装品は、金型内にて射出成形により製造されるのが一般的である。
【０００３】
固定型と可動型とからなる金型のキャビティ内に高温／高圧で溶融状態の樹脂材が充填され、例えば可動型を開くことにより、キャビティ内が減圧され、樹脂材内に溶け込んでいたＣＯ２ガスが気泡の形で発泡される。この可動型の型開き量やそのスピードを適宜に調整することにより、気泡を適宜の大きさに成長させることができ、結果として所望の軟らかさを備えた発泡層（ソフト層）を得ることができる。したがって、発泡層の発泡倍率によって発泡層の厚みが決定され、この発泡倍率または厚みが所定の値を満足することは、発泡層が所定の軟らかさを有していることを示すこととなる。
【０００４】
ところで、インパネなどの内装品は、その形状が比較的複雑であり、また複数の開口を有していることから、固定型および可動型で画成されたキャビティ内にて射出成形がおこなわれた後は、一定方向の型締め／型開き方向に例えば可動型を移動させることにより、成形品からの型の離型がおこなわれていた。すなわち、双方の金型の対向面（または当接面）形状が複雑であることから、型締め／型開き方向は一定方向に限定されることとなり、それ以外の方向に可動型を移動させても型と成形品とが干渉することで可動型の移動が阻害されることとなる。
【０００５】
発泡層が型締め／型開き方向と直交する方向に広がる層である場合には、発泡層の成長に応じて可動型が自在に移動し、発泡層は適宜の発泡倍率に成長することができる。しかし、発泡層の形状が、かかる型締め／型開き方向と直交する方向に加えてそれ以外の方向にも延びる面を有している場合には、該それ以外の面の発泡層の発泡倍率は、型締め／型開き方向と直交する方向の発泡層の発泡倍率と同程度とはならず、したがって、所望の軟らかさ（ソフト感）を満足できない可能性が高くなる。従来は、かかる問題を許容し、型締め／型開き方向と直交する方向と異なる方向に延びる発泡層は、比較的硬く成形されていた。例えば、図５に示す従来の成形用金型に基づいて説明すると、可動型ｂ１と固定型ｂ２の間のキャビティ内において、開口ａ１１を有する芯材ａ１と、その一部の表面に発泡層ａ２からなる成形体ａが成形される。ここで、可動型ｂ１の型締め／型開き方向はＸ方向である。発泡層ａ２は、型締め／型開き方向に直交する方向の面ａ２１と、該面ａ２１から斜めに立ち上がる面ａ２２とから構成されている。発泡層ａ２の発泡成長の際には、可動型ｂ１がＸ方向に移動し、かかる移動によって発泡層の面ａ２１は発泡成長方向Ｙ１に向かって所定の発泡倍率にて発泡成長することができる。その一方で、発泡層の面ａ２２の発泡成長は成長に応じたキャビティ空間が確保されないことから、その発泡成長方向Ｙ２への発泡成長が阻害される。その結果、発泡層全体では、所定の発泡倍率で成長して十分なソフト感を備えた部分と、所定の発泡倍率で成長することができないために十分なソフト感を有していない部分とから構成されることとなる。なお、従来は、図示するように、型締め／型開き方向と同一軸線方向（ここでは、同一軸線で逆向きのＺ方向）に成形体を離型させる押出し手段の押出し方向が設定されていた。この押出し手段は、例えば、図示するプレートｃ１と複数のエジェクターピンｃ２，ｃ２，…などから構成され、プレートｃ１をｙ１方向に押込むことで、成形体ａを可動型ｂ１から離型させるものである。
【０００６】
ところで、特許文献１には、固定型の内部に、油圧シリンダーおよびロッドと、その先端に取り付けられたプレートと、プレートの一側に取り付けられたエジェクターピンを内装しておき、ロッドの上下動によってエジェクターピンを上下させ、エジェクターピンの先端で樹脂成形体を押出すことのできる樹脂封止装置に関する発明が開示されている。ここで、製作される成形体の形状は、平面形状の成形体であることが図面から判断され、下方へ可動する可動型の型締め／型開き方向とエジェクターピンの押出し方向はともに鉛直方向である。
【０００７】
一方、特許文献２には、可動型側にエアシリンダとエジェクターピン（ロッド）が内装されており、このエジェクターピンにて芯材と表皮材との２層構造の成形体を押出す構造の成形装置に関する発明が開示されている。かかる発明では、上記する発泡層と同義である表皮材が、可動型の型締め／型開き方向に直交する面と平行な面とから構成される実施例が図示されているが、この装置は、型締め／型開き方向に平行な面の表皮材の十分な発泡成長をも満足させることを目的としていない。すなわち、上記するように、型締め／型開き方向に直交する方向の表皮材の発泡成長のみが十分に促進されるものである。したがって、上記するような複数の角度方向に延びる面を有する発泡層（ここでは表皮材）のすべての面の発泡成長を十分に促進させるに至らず、すべての面で所望のソフト感を有する成形体を成形することはできない。また、当該発明においても、可動型の型締め／型開き方向とエジェクターピンの押出し方向はともに鉛直方向となっている。これは、固定型と可動型とから形成されるパーティングラインの設定や、効率的な成形体の押出しを勘案した場合に当然の方策と言える。
【０００８】
【特許文献１】特開平６−３１５９５６号公報
【特許文献１】特開平７−３２３４３２号公報
【発明の開示】
【発明が解決しようとする課題】
【０００９】
特許文献１，２に開示の樹脂封止装置および成形装置では、複数の角度方向に延びる面を有する発泡層（表皮材）のすべての面の発泡成長を充足させることはできない。例えば、特許文献２の成形装置では、可動型の型締め／型開き方向に平行な面の発泡成長は、型締め／型開き方向に垂直な面のそれに比して少なくならざるを得ない。可動型の移動方向やキャビティ形状などから、発泡層の発泡成長時のキャビティ空間が十分に確保されない等の理由に基づくものである。したがって、成形体の押出しを効率的におこなうことができたとしても、比較的複雑な形状の発泡層を有する成形体において、該発泡層の全面が所定の発泡倍率を満足するように成長させることと、効率的な成形体の押出しの双方を満足することはできない。
【００１０】
本発明は、上記する問題に鑑みてなされたものであり、複数の角度方向に延びる面（平面のみならず曲面も含む）からなる発泡層のすべての面が所定の発泡倍率を満足するように成長させることができ、さらに、成形体を型から効率的に押出すことのできる成形用金型および成形体の成形方法を提供することを目的とする。
【課題を解決するための手段】
【００１１】
前記目的を達成すべく、本発明による成形用金型は、固定型と可動型とから構成され、双方の型間に画成されたキャビティ内にて芯材と発泡層の２層構造を有する成形体を成形するための成形用金型であって、前記可動型は、型締めおよび型開き方向とは異なる押出し方向に成形体を押出す押出し手段を備えるとともに、前記キャビティを形成する固定型と可動型の内面が、前記押出し方向に直交する方向に広がる第１の面と、該第１の面と異なる方向に広がる第２の面を少なくとも含む複数の面を備えており、さらに、前記可動型が、型締めおよび型開き方向に移動する際に、前記複数の面が型締めおよび型開き方向と異なる方向で、かつ、前記複数の面から構成される発泡層の各面を所定の発泡倍率に成長させる方向に移動可能に構成されていることを特徴とする。
【００１２】
本発明の成形用金型は、固定型と可動型との間で画成されるキャビティ内で、芯材と発泡層の２層構造からなる成形体における、該芯材および発泡層の成形をともにおこなうことのできる金型に関するものである。芯材の成形は、射出成形の他、樹脂製または鋼製の板部材をキャビティ内にてプレス成形することもできる。所定形状に成形された芯材表面の所定領域において発泡層が射出成形される。この発泡層は、適宜の樹脂にて成形されるものであり、例えば既述するようなポリウレタンやポリプロピレンなどから成形できる。ここで、押出し手段は特に限定するものではないが、プレートと、該プレートの一側に固着された複数のエジェクター（突き出し部材）とから構成し、このプレートを手動または自動にて押出し方向に押出し可能に構成した実施例などが適用できる。また、本発明では、成形体が可動型側に接着しながら発泡成長することで固定型から自然に離型していくことを前提としているため、可動型側に押出し手段を設けた構成としているが、固定型に成形体が接着する場合には、該固定型に押出し手段が設けられる構成となる。
【００１３】
可動型は、キャビティ内における発泡層の成長に応じて固定型に対して相対的に移動できるようになっている。この固定型に対する可動型の移動方向は、いわゆる型締め／型開き方向であり、例えば固定型が可動型に対して下方に位置決め固定されている場合には、可動型の鉛直上方への移動方向が型締め／型開き方向となる。キャビティの形状は、該キャビティ内で成形される成形体の形状に応じて任意であるが、本発明では、少なくとも発泡層が成形されるキャビティ部分が複数の角度方向に延びる面から構成されており、この複数の面の少なくとも１つの面は、例えば、成形体の押出し方向に直交する方向に延びる面となっている。ここで、上記する押出し方向と、可動型の型締め／型開き方向とは同一の方向とならないように設定されている。例えば、発泡層が２つの平面から構成されている場合には、この２つの面の中心角の１／２程度の角度方向に可動型の型締め／型開き方向がくるようにパーティングライン（固定型と可動型との当接ライン）が設定されるのが望ましい。この場合、成形体の押出し方向を可動型の型締め／型開き方向と同じ方向に設定すると、可動型から成形体を押出す際に、可動型と成形体との間で干渉する部分が生じ、結果として成形体の押出しができない事態が招来される。そこで、複数の面から構成される発泡層のうちの一つの面を、例えば押出し方向に直交する方向となるように押出し手段の押出し方向とパーティングラインを設定するとともに、押出し方向と可動型の型締め／型開き方向とを異なる方向に設定することで、発泡層の全面の発泡成長の促進と、成形体の可動型からの押出しの双方を満足させようとするものである。
【００１４】
ここで、所定の発泡倍率は、成形体に要求されるソフト感によって異なるものであり、したがって適宜に設定することができる。例えば、キャビティ内への初期の材料充填時の元厚に対して１．８〜２倍程度に設定することができる。
【００１５】
また、本発明による成形用金型の好ましい実施形態は、発泡層の成長時に可動型が移動する際に、該可動型と干渉する部分が前記固定型に存在する場合には、該干渉する部分が可動型の移動時に移動できるように構成されており、可動型の移動によって可動型と固定型の干渉が回避できることを特徴とする。
【００１６】
発泡層の発泡成長に応じて、可動型が型締め／型開き方向に移動することにより、発泡層用のキャビティ空間が拡大される。本発明の成形用金型においては、型締め／型開き方向に直交する方向に成形体を構成する発泡層の面が延びた構成とはなっていないため、可動型の移動時に、例えば可動型の一部（その表面に接着した芯材の一部）と固定型とが干渉することにより、可動型の移動が阻害される可能性もある。
【００１７】
本発明は、かかる問題を解消するための成形用金型の実施形態に関するものであり、固定型のうち、可動型の型締め／型開き方向への移動に際して該可動型と干渉する部分については、かかる干渉する部分を固定型の他の部分と予め縁切りした構成としておき、この干渉する部分を成形体の押出し方向に移動可能に構成しておく。干渉する部分を発泡層の成長により可動型が移動するタイミングよりも若干早いタイミングで移動させることにより、可動型の移動時に固定型との干渉も回避することができ、発泡層の発泡成長を十分に促進させることができる。
【００１８】
ここで、上記する干渉する部分を移動させる手段は特に限定されるものではないが、例えば、サーボモータとラック／ピニオン機構を組み合わせた構成とし、ラックの先端に干渉する部分を取り付けておき、発泡層の成長に応じてサーボモータを駆動させることによって干渉する部分が可動型から逃げることのできる実施例などが適用できる。
【００１９】
また、本発明による成形用金型の他の実施形態において、前記固定型の内部には、シリンダーとその端部で出入りするロッドとからなるシリンダーユニットが内蔵されており、前記干渉する部分は、固定型の他の部分と縁切りされており、ロッドの先端に前記干渉する部分が固着されており、可動型の移動に応じてロッドがシリンダー内に入ることによって前記干渉する部分が移動し、可動型と固定型との干渉が回避されることを特徴とする。
【００２０】
本発明は、発泡層成長時の可動型の移動の際に、該可動型が固定型と干渉する部分が存在する場合に、双方の干渉を回避する手段の一実施形態に関するものである。本発明の回避手段は、シリンダーユニットを固定型に内蔵する態様であり、シリンダーユニットを構成するロッドの先端に上記する干渉する部分を固着しておき、発泡層の成長時の可動型の移動に応じてロッドをスライドさせることにより、干渉する部分と可動型との干渉を回避するものである。ここで、シリンダーユニットを構成するシリンダーは、油圧シリンダーであってもエアシリンダーであってもよい。本発明では、ロッドのスライド方向を押出し手段の押出し方向と同一方向とすることにより、効率的な干渉回避を実現することができる。
【００２１】
前記シリンダーユニットを駆使しながら、複数の角度方向に延びる面からなる発泡層のすべての面が所定の発泡倍率を満足するように成長させ、成形体が離型可能な状態となった段階で、押出し手段により、可動型から成形体を押出すことにより、その全面が所望のソフト感を有する発泡層を備えた成形体を効率的に製造することが可能となる。
【００２２】
さらに、本発明による成形体の成形方法は、固定型と、成形体を押出す押出し手段を備え、型締めおよび型開き方向に移動する可動型と、を用いて、前記固定型および可動型の内面により形成されるキャビティ内に所定形状の芯材を成形した後に、該キャビティ内に溶融材料を充填し、この溶融材料を発泡させることで２層構造を有する成形体を成形する成形方法であって、キャビティを形成する固定型と可動型の内面を構成する複数の面が、いずれも可動型の移動する型締めおよび型開き方向とは異なる方向であって、かつ、該複数の面から構成される発泡層の各面が所定の発泡倍率に成長可能な方向に調整されていることを特徴とする。
【００２３】
本発明は、上記する１台の成形用金型を使用して、芯材と発泡層の２層構造からなる成形体を成形する成形方法に関するものである。芯材のキャビティ内での成形方法は、射出成形やプレス成形が適用できる。ここで、成形用金型を構成する固定型を２種類用意しておき、まず、芯材用のキャビティ空間のみが形成される固定型を使用して芯材をキャビティ内で形成し、次に、発泡層用のキャビティ空間がさらに備えられた固定型に変更して芯材表面に発泡層を形成することもできる。例えば、発泡層が押出し方向に直交する方向に延びる面とそれ以外の方向に延びる面とから構成される発泡層の発泡成長の際には、すべての面が所定の発泡倍率を満足する方向に可動型が移動することにより、所望のソフト感をそのすべての面で備えた発泡層を有する成形体を得ることができる。また、発泡層の成長時に可動型と固定型とが干渉する場合には、既述するシリンダーユニット等を備えた固定型を使用することにより、双方の干渉を回避することで発泡層の成長を促進させることができる。
【００２４】
発泡層の成形後、押出し手段による成形体の可動型からの押出しに際しては、押出し手段の押出し方向を可動型と成形体とが干渉しない方向に設定しておくことにより、可動型に干渉回避用の手段を講じておく必要がなくなる。
【発明の効果】
【００２５】
以上の説明から理解できるように、本発明の成形用金型および成形体の成形方法によれば、複数の方向に延びる面から構成される発泡層のすべての面が所定の発泡倍率を満足するように成長することができる方向にキャビティを構成する複数の面を設定し、かつ、押出し手段の押出し方向を可動型の型締め／型開き方向と異なる方向に設定することにより、すべての面で所望のソフト感を有する発泡層を備えた成形体を成形することができ、さらには、かかる成形体の離型を効率的におこなうことができる。また、本発明の成形用金型および成形体の成形方法によれば、発泡層成長時に可動型と固定型とが干渉する場合には、固定型内部に適宜の干渉回避手段を講じておくことにより、発泡層を構成するすべての面の発泡成長を十分に促進させることができる。
【発明を実施するための最良の形態】
【００２６】
以下、図面を参照して本発明の実施の形態を説明する。図１は、本発明の成形用金型の一実施形態を示した模式図を、図２、図３は、順に、成形体の成形方法を示した模式図をそれぞれ示している。図４は、成形用金型の他の実施形態を示した模式図である。なお、図示する成形体の実施形態は、押出し手段の押出し方向に直交する面と該面に略直交する面（押出し方向に略平行な面）とから構成されているが、成形される成形体の形状がかかる実施形態に限定されるものでないことは勿論のことである。ただし、いずれの形状の成形体であっても、成形体を構成する発泡層のすべての面が所定の発泡倍率を満足した成長をおこなうことができるようにパーティングラインやキャビティが設定される必要がある。
【００２７】
図１は、成形用金型の一実施形態の模式図である。成形用金型１は、固定型２と可動型４とから大略構成されており、固定型２のうち、発泡層ａ２の発泡成長時に可動型４と干渉する部分は、可動部３１として固定型２の他の部分と縁切りされた構成となっている。固定型２には、可動部３１が移動できるように所定寸法の可動空間２１が穿設されており、この可動空間２１内に可動部３１が移動可能に遊嵌されている。また、可動部４の内部には成形体ａを押出すための押出し手段５が内装されている。この押出し手段５は、エアシリンダーまたは油圧シリンダーからなるシリンダー５３ａと、その端部を出入りするロッド５３ｂとから構成されるシリンダーユニット５３と、ロッド５３ｂに接続されたプレート５１と、プレート５１の一側面に取り付けられた複数のエジェクターピン５２，５２，…とから構成されている。発泡層の発泡成長に応じて、成形体ａと固定型とが離型され、押出し手段５にて成形体ａを可動型４から押出すことによって成形体ａの成形がおこなわれる。
【００２８】
可動型４は、固定型２に対して鉛直上方のＸ方向に移動できるようになっており、このＸ方向が型締め／型開き方向となる。一方、押出し手段５による押出し方向は、Ｘ方向とは異なるＺ方向であり、このＺ方向は、成形体ａの可動型４からの押出し時に、可動部３１と成形体ａとが干渉しない方向である。図１に示す実施例では、成形される成形体ａの発泡層ａ２が、押出し方向（Ｚ方向）に直交する面ａ２１と、押出し方向に平行な面ａ２２とから構成されている。かかる発泡層ａ２の実施例の場合には、この２つの面ａ２１と面ａ２２の双方がともに所定の発泡倍率を満足して成長するために、図示するように、面ａ２１と面ａ２２とからなる中心角の１／２程度の方向であるＹ方向が可動型４の型締め／型開き方向（Ｘ方向）と同軸方向となることが望ましい。すなわち、発泡層ａ２の発泡成長に応じて可動型４が移動するが、その際に、キャビティ空間が発泡層の成長を阻害しない程度に十分に広げられる必要がある。面ａ２１はＹ１方向へ、面ａ２２はＹ２方向へそれぞれ発泡成長するため、図示するように、その中間角度であるＹ方向が型締め／型開き方向（Ｘ方向）と同軸方向となることによってその目的を達することができる。なお、従来は、かかる発泡層の実施例に対して、図５に示すように型締め／型開き方向と発泡層の一つの面（図ではａ２１）が直交するようにパーティングラインやキャビティが設定されていたため、発泡層の発泡成長時に面ａ２２用のキャビティ空間が十分に確保できないことから、全体として所定の発泡倍率を満足した発泡層を有する成形体を得ることができなかった。なお、図１に示す実施例では、発泡層の発泡成長時に、可動型４と固定型２とが干渉する部分が生じるため、干渉する部分を固定型２にて対処するための可動部３１を設け、可動部３１を固定型２の他の部分と縁切りした構成として移動できるようにしている。発泡層ａ２の発泡成長に先行してかかる可動部３１が可動空間２１内を移動することで（図ではＺ方向）、固定型２と芯材ａ１（可動型４）との干渉を回避することができる。
【００２９】
図２，３は、成形体の成形方法の概要を順に説明した模式図である。まず、固定型２と可動型４の間に板材を挟持させ、プレス成形によって芯材ａ１を所定の形状に成形する。なお、固定型２と可動型４の間のキャビティ内に例えば樹脂材料を充填する射出成形方法にて芯材ａ１を成形してもよい。芯材ａ１の成形後、芯材ａ１表面の所定領域のキャビティ内に図示しない充填孔を介して発泡層用の樹脂材料（例えばポリウレタンやポリプロピレンなど）を充填する。樹脂材料の充填後、時間の経過とともに樹脂材料内のＣＯ２気泡が発泡成長することで発泡層ａ２が成長していく。図では、発泡層ａ２を構成する面ａ２１がＹ１方向へ、面ａ２２がＹ２方向へ発泡成長する。
【００３０】
この発泡層ａ２の発泡成長の前段階で、可動型４と固定型２との干渉部分である可動部３１は予めＺ方向に移動されるようになっている。可動部３１の移動方法としては、使用される発泡層の発泡成長に要する時間に応じてロッド３２がスライドできるように構成された態様や、可動部３１の適宜箇所に図示しない圧力センサを取り付けておき、発泡層成長時に発泡層から作用する圧力をセンサが検知した際にロッド３２がスライドできる態様などが適用できる。
【００３１】
可動部３１がＺ方向に移動し、発泡層の発泡成長に応じて可動型４がＸ方向に移動することで、発泡層ａを構成する面ａ２１，面ａ２２のすべての面の発泡成長が十分に促進される。
【００３２】
図３は、発泡層ａ２が発泡成長し、該発泡層ａ２と固定型２とが離型し、最後に、可動部４から押出し手段にて成形体ａを押出している状況を示している。押出し手段の押出し方向（Ｚ方法）は、成形体ａの押出し時に該成形体ａと可動部４との間で干渉する部分が生じない方向に設定されている。図示する実施例では、押出し手段がシリンダーユニット５３から構成されており、エアまたは油圧にて制御されるシリンダー５３ａによるロッド５３ｂ，５３ｂ，…の移動によって、プレート５１を介してエジェクターピン５２，５２，…の先端が成形体ａを押出すことができる。
【００３３】
図４は、成形用金型の他の実施形態を示したものであり、押出し手段の形態が上記成形用金型１と異なる成形用金型１ａに関するものである。この押出し手段は、サーボモータ６１と、その駆動軸に装着されたねじ軸６２と、ねじ軸６２の軸方向に沿って移動するナット６３とから構成される送りねじ機構によるものである。ナット６３にプレート５１が取り付けられており、ナットの移動に応じてプレート５１が移動し、エジェクターピン５２，５２，…を介して成形体ａを押出すことができる。
【００３４】
上記する成形用金型１，１ａに代表される本発明の成形用金型によれば、成形体を構成する発泡層のすべての面が所定の発泡倍率を満足するように成長させることができ、さらに成形体の型からの離型（押出し）も効率的におこなうことができる。
【００３５】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【図面の簡単な説明】
【００３６】
【図１】本発明の成形用金型の一実施形態を示した模式図。
【図２】成形体の成形方法を示した模式図。
【図３】図２に続き、成形体の成形方法を示した模式図。
【図４】成形用金型の他の実施形態を示した模式図。
【図５】従来の成形用金型を示した模式図。
【符号の説明】
【００３７】
１，１ａ…成形用金型、２…固定型、２１…可動空間、３１…可動部、３２…シリンダー、３３…ロッド、４…可動型、５…押出し手段、５１…プレート、５２…エジェクターピン、５３…シリンダーユニット、５３ａ…シリンダー、５３ｂ…ロッド、６１…サーボモータ、６２…ねじ軸、６３…ナット、Ｐ…パーティングライン、ａ…成形体、ａ１…芯材、ａ２…発泡層
【図１】
2007044965.tif 000003
【図２】
2007044965.tif 000004
【図３】
2007044965.tif 000005
【図４】
2007044965.tif 000006
【図５】
2007044965.tif 000007